(57)【要約】【課題】レリーズタイムラグをより短縮可能なシャッタ装置および撮像装置を提供する。【解決手段】シャッタ装置は、矩形の開口を有する基板と、開口の第１方向の長さよりも長くかつ開口の第２方向の長さよりも短い遮光領域を有し、基板の開口外に格納された状態から第２方向に沿って開口内を移動可能な第１遮光部材と、開口の第１方向の長さよりも短くかつ開口の第２方向の長さよりも短い遮光領域を有し、第１遮光部材と連動して第２方向に移動可能な補助遮光部材と、を備え、補助遮光部材は、第２方向への移動時に、第１遮光部材の遮光領域端部において開口を遮光する。【選択図】図２
2016090740.tif 000002
【特許請求の範囲】
【請求項１】
矩形の開口を有する基板と、
前記開口の第１方向の長さよりも長くかつ前記開口の第２方向の長さよりも短い遮光領域を有し、前記基板の開口外に格納された状態から前記第２方向に沿って前記開口内を移動可能な第１遮光部材と、
前記開口の前記第１方向の長さよりも短くかつ前記開口の前記第２方向の長さよりも短い遮光領域を有し、前記第１遮光部材と連動して前記第２方向に移動可能な補助遮光部材と、を備え、
前記補助遮光部材は、前記第２方向への移動時に、前記第１遮光部材の遮光領域端部において前記開口を遮光するシャッタ装置。
【請求項２】
請求項１に記載のシャッタ装置において、
前記補助遮光部材は、前記第１遮光部材が前記基板の開口外に格納された状態で前記開口外に退避するとともに、前記第１遮光部材の前記第２方向への移動に伴って前記遮光領域端部における前記開口の一部を遮光するシャッタ装置。
【請求項３】
請求項１または２に記載のシャッタ装置において、
前記第１遮光部材と連結され、前記第１遮光部材を前記第２方向に駆動する第１駆動部材をさらに備え、
前記補助遮光部材は、前記第１駆動部材に連結され、前記第１駆動部材によって前記第２方向に駆動されるシャッタ装置。
【請求項４】
請求項１乃至３の何れか一項に記載のシャッタ装置において、
前記第１遮光部材が格納された位置から前記第２方向への移動に伴って前記開口を遮光する第２遮光部材と、
前記第２遮光部材を移動させる第２駆動部材と、をさらに備えるシャッタ装置。
【請求項５】
請求項４に記載のシャッタ装置において、
前記第１遮光部材の遮光領域端部は、前記第２駆動部材の移動範囲を避けた形状を有するシャッタ装置。
【請求項６】
請求項１乃至５の何れか一項に記載のシャッタ装置において、
前記補助遮光部材は前記基板の開口外の前記第１方向に沿った位置に格納され、前記第１遮光部材は前記基板の開口外の前記第２方向に沿った位置に格納されるシャッタ装置。
【請求項７】
請求項１乃至６の何れか一項に記載のシャッタ装置と、
前記シャッタ装置を介して被写体からの光束を受光する撮像素子とを備える撮像装置。
【発明の詳細な説明】
【技術分野】
【０００１】
本発明は、シャッタ装置および撮像装置に関する。
【背景技術】
【０００２】
先幕遮光羽根および後幕遮光羽根を備えた、いわゆるノーマリーオープンタイプのシャッタ装置が知られている。このシャッタ装置を備えた電子カメラでは、本露光を行う前の撮影準備状態において、プレビュー画像を表示させるために、シャッタ装置の撮影開口から各遮光羽根の移動方向に沿った一方側に先幕遮光羽根を退避させ、他方側に後幕遮光羽根を退避させている（たとえば特許文献１参照）。
【先行技術文献】
【特許文献】
【０００３】
【特許文献１】特開２００８−１６４８０４号公報
【発明の概要】
【発明が解決しようとする課題】
【０００４】
上述した特許文献に記載のシャッタ装置を備えた電子カメラでは、本露光の開始前に、撮影開口から一方側に退避させていた先幕遮光羽根を他方側に向かって移動させて撮影開口を遮光し、撮像素子のリセット動作を行う。その後、先幕遮光羽根と後幕遮光羽根とを所定の時間差で一方側に向かって移動させることで撮像素子を露光する。そのため、レリーズタイムラグが長くなる。
しかしながら、レリーズタイムラグをより短縮可能なシャッタ装置についての具体的な構成については提案されていない。
【課題を解決するための手段】
【０００５】
シャッタ装置は、矩形の開口を有する基板と、開口の第１方向の長さよりも長くかつ開口の第２方向の長さよりも短い遮光領域を有し、基板の開口外に格納された状態から第２方向に沿って開口内を移動可能な第１遮光部材と、開口の第１方向の長さよりも短くかつ開口の第２方向の長さよりも短い遮光領域を有し、第１遮光部材と連動して第２方向に移動可能な補助遮光部材と、を備え、補助遮光部材は、第２方向への移動時に、第１遮光部材の遮光領域端部において開口を遮光する。
撮像装置は、上記のシャッタ装置と、シャッタ装置を介して被写体からの光束を受光する撮像素子とを備える。
【図面の簡単な説明】
【０００６】
【図１】実施の形態によるデジタルカメラの要部構成図。
【図２】第１の実施の形態によるシャッタ装置の内部構造を示す図
【図３】第１の実施の形態によるシャッタ装置の内部構造を示す図
【図４】第１の実施の形態によるシャッタ装置の内部構造を示す図
【図５】第１の実施の形態によるシャッタ装置の内部構造を示す図
【図６】実施の形態によるシャッタ装置の先幕遮光羽根の遮光領域を説明する図
【図７】第２の実施の形態によるシャッタ装置の内部構造を示す図
【図８】第２の実施の形態によるシャッタ装置の内部構造を示す図
【図９】第２の実施の形態によるシャッタ装置の内部構造を示す図
【図１０】第２の実施の形態によるシャッタ装置の内部構造を示す図
【図１１】第３の実施の形態によるシャッタ装置の内部構造を示す図
【図１２】第３の実施の形態によるシャッタ装置の内部構造を示す図
【図１３】第３の実施の形態によるシャッタ装置の内部構造を示す図
【図１４】第３の実施の形態によるシャッタ装置の内部構造を示す図
【発明を実施するための形態】
【０００７】
−第１の実施の形態−
図面を参照して一実施の形態に係るシャッタ装置を備える撮像装置について説明する。
図１は、一実施の形態による撮像装置であるデジタルカメラ１の要部構成を説明する図である。図１に示すように、デジタルカメラ１は、カメラボディ２０と、レンズマウント９を介してカメラボディ２０に着脱可能なレンズ鏡筒１０とにより構成される、いわゆるミラーレスカメラである。なお、デジタルカメラ１は、ミラーレスカメラではなく一眼レフカメラでもよい。
【０００８】
レンズ鏡筒１０は、結像光学系１１と絞り１２とを備えている。結像光学系１１は、被写体像を所定の結像面に結像させるための光学系であり、焦点調節レンズを含む複数のレンズによって構成されている。焦点調節レンズは、レンズ駆動用モータ（不図示）の動作により光軸Ｌ方向に進退運動する。なお、図１では、図示の都合上、結像光学系１１を１枚のレンズとして模式的に示している。絞り１２は、結像光学系１１を通過する光束、すなわち入射光量を制限する。
【０００９】
カメラボディ２０内部には、シャッタ装置２１と、撮像素子２２と、制御装置２６とが設けられている。カメラボディ２０の背面には、液晶ディスプレイ等の表示デバイスにより構成される背面モニタ３０が設けられている。カメラボディ２０には、操作部４０が設けられている。
【００１０】
撮像素子２２は、行列状に多数配列された画素を有する、たとえばＣＭＯＳ等の撮像素子であり、撮像面が結像光学系１１の結像面に位置するように配置されている。撮像素子２２は、結像光学系１１によりシャッタ装置２１を介して撮像面に結像された被写体像を撮像し、制御装置２６に撮像信号を出力する。なお、図１では図示を省略しているが、撮像素子２２の撮像面には、赤外カットフィルター等の種々の光学フィルターが設けられている。撮像素子２２を構成する複数の画素が画素行方向（後述する図２のＸ軸方向）と、画素行方向と直交する画素列方向（後述する図２のＹ軸方向）とに２次元上に配列され、画素列方向の異なる位置で画素行ごとに異なるタイミングで画素リセットおよび撮像信号の読み出しが行われる。
【００１１】
シャッタ装置２１は、撮像素子２２の前面（被写体側）に設けられる。シャッタ装置２１は、後述する制御装置２６の不図示の電力制御部からの駆動信号に従って、不図示の先幕用アクチュエータおよび後幕用アクチュエータによって駆動を行うことにより、被写体から撮像素子２２に向けて入射する光束を遮光する、いわゆるフォーカルプレンシャッタである。なお、シャッタ装置２１の詳細については、説明を後述する。
【００１２】
制御装置２６はマイクロプロセッサやその周辺回路等から構成されており、不図示の記憶媒体（たとえばフラッシュメモリ等）に予め記憶されている制御プログラムを読み込んで実行することにより、デジタルカメラ１の各部を制御する。制御装置２６は、撮像素子２２から出力された撮像信号に対して種々の画像処理を施して、被写体像の画像データを生成し、不図示の可搬記憶媒体（たとえばメモリカード等）に生成した画像データを記録する。制御装置２６は、後述するように、シャッタ装置２１および撮像素子２２の動作を制御する。制御装置２６は、シャッタ装置２１の動作を制御するための不図示の電力制御部を機能として備える。
なお、制御装置２６は、制御プログラムと同等の機能を有する電子回路により構成してもよい。
【００１３】
操作部４０はユーザによって操作される種々の操作部材に対応して設けられた種々のスイッチを含み、操作部材の操作に応じた操作信号を制御装置２６へ出力する。操作部材は、たとえばレリーズボタンや、背面モニタ３０にメニュー画面を表示させるためのメニューボタンや、各種の設定等を選択操作する時に操作される十字キー、十字キーにより選択された設定等を決定するための決定ボタン、撮影モードと再生モードとの間でデジタルカメラ１の動作を切替えるモード切替ボタン等を含む。
【００１４】
以下、本実施の形態のシャッタ装置２１の詳細について説明する。
図２〜５は、撮像素子２２側、すなわち、デジタルカメラ１の背面側から見た、シャッタ装置２１の内部構造を示す図である。なお、説明の都合上、図示の通りにＸ軸およびＹ軸からなる座標系を設定する。図２は、ユーザによるレリーズボタンの操作による撮影開始の指示前のシャッタ装置２１の状態を示す図である。図２は、後述する先幕遮光羽根２２０および後幕遮光羽根２５０がともに開口２１５の上方（Ｙ軸−側）の第１退避位置２０１に退避した状態を示す。図３は、ユーザによるレリーズボタンの操作が行われて、撮影開始が指示された後、先幕遮光羽根２２０が開口２１５を横切るように図示下方（Ｙ軸＋側）に向かって移動を開始した後のシャッタ装置２１の状態を示す図である。ただし、図３は、後幕遮光羽根２５０が移動を開始する前の状態を示す。図４は、先幕遮光羽根２２０が図３に示す状態からさらにＹ軸＋側に移動し、先幕遮光羽根２２０と連動して補助遮光羽根３００が開口２１５を横切るようにして図示下方（Ｙ軸＋側）に向かって移動中のシャッタ装置２１の状態を示す図である。図５は、先幕遮光羽根２２０および補助遮光羽根３００が図４に示す状態からさらに図示下方（Ｙ軸＋側）に移動して、開口２１５の下方（Ｙ軸＋側）の第２退避位置２０２および開口２１５の図示右方（Ｘ軸＋側）の第４退避位置２０４にそれぞれ退避した状態を示す図であり、後幕遮光羽根２５０が移動を開始する前の状態を示す。
【００１５】
シャッタ装置２１は、基板２１０と、先幕遮光羽根２２０と、後幕遮光羽根２５０と、補助遮光羽根３００と、先幕駆動アーム２２１と、先幕従動アーム２３１と、後幕駆動アーム２５１と、後幕従動アーム２６１と、不図示の先幕用アクチュエータと、不図示の後幕用アクチュエータとを有する。本実施の形態では、先幕用アクチュエータおよび後幕用アクチュエータは、たとえば電動モータ等により構成される。
【００１６】
基板２１０はカメラボディ２０の内部に固定され、撮像素子２２を被写体光束によって露光するための開口２１５を有している。開口２１５は、Ｘ軸に沿って延在する２つの辺と、Ｙ軸に沿って延在する２つの辺とによって囲まれる矩形形状に形成される。以下、開口２１５のＹ軸−側の辺を上端２１５Ｕ、Ｙ軸＋側の辺を下端２１５Ｂ、上端２１５Ｕと下端２１５ＢとのＹ軸方向の長さをＬ０として説明する。
【００１７】
−−−後幕−−−
たとえば、図３〜５に示すように、後幕駆動アーム２５１はその一端に基板側連結部２５２を有する。後幕駆動アーム２５１は、基板側結合部２５２において基板２１０の背面（撮像素子２２側）に回動可能に軸支されている。後幕従動アーム２６１はその一端に基板側連結部２６２を有する。後幕従動アーム２６１は、基板側連結部２６２において、後幕駆動アーム２５１のＹ軸＋側（図示下方）で基板２１０の背面（撮像素子２２側）に回動可能に軸支されている。後幕駆動アーム２５１は他端に遮光部材側連結部２５３を有する。後幕駆動アーム２５１は、遮光部材側連結部２５３においてかしめピンによって複数枚の後幕遮光羽根２５０が回動可能に取り付けられている。後幕従動アーム２６１は他端に遮光部材側連結部２６３を有する。後幕従動アーム２６１は、遮光部材側連結部２６３においてかしめピンによって複数枚の後幕遮光羽根２５０が回動可能に取り付けられている。後幕駆動アーム２５１と後幕従動アーム２６１とは、後幕遮光羽根２５０を移動させる公知の平行リンク機構を構成する。
【００１８】
後幕駆動アーム２５１および後幕従動アーム２６１は、先幕駆動アーム２２１および先幕従動アーム２３１の図示上方（Ｙ軸−側）に設けられている。具体的には、後幕駆動アーム２５１の基板側連結部２５２、および、後幕従動アーム２６１の基板側連結部２６２は、先幕駆動アーム２２１の後述する基板側連結部２２２および先幕従動アーム２３１の後述する基板側連結部２３２の図示上方（Ｙ軸−側）で基板２１０に結合されている。
【００１９】
後幕遮光羽根２５０は、Ｘ軸に沿って延在する複数枚の羽根によって構成される遮光部材であり、各羽根の図示右側の端部が後幕駆動アーム２５１および後幕従動アーム２６１にそれぞれ軸支されている。
後幕駆動アーム２５１には、穴２５４が設けられ、基板２１０の円弧状の長穴２７０を貫通した後幕駆動ピン２８２が紙面奥側から、すなわちデジタルカメラ１の正面側から穴２５４に挿入される。後幕駆動ピン２８２は、不図示の後幕用アクチュエータによって駆動される。後幕用アクチュエータは、前述のように、電動モータにより構成される。後幕用アクチュエータは、制御装置２６の不図示の電力供給部からの駆動電流、すなわち電力供給を受けて駆動する。後幕用アクチュエータによって後幕駆動ピン２８２が長穴２７０に沿って駆動されると、後幕駆動アーム２５１および後幕従動アーム２６１が基板側連結部２５２および基板側連結部２６２を中心に回動される。
【００２０】
後幕駆動アーム２５１が基板側連結部２５２を中心に回転駆動されると、後幕駆動アーム２５１と後幕従動アーム２６１と後幕遮光羽根２５０とによって構成される周知の平行リンク機構によって後幕遮光羽根２５０が駆動されて、基板２１０の開口２１５をＹ軸方向に移動するように構成されている。本実施の形態では、後幕遮光羽根２５０は、開口２１５外の第１退避位置２０１と、開口２１５の全体を覆う遮光位置とに移動可能である。図２〜５に示すように、後幕遮光羽根２５０の複数枚の羽根は、第１退避位置２０１においては互いに重なり合う。また、図示はしないが、後幕遮光羽根２５０の複数枚の羽根は、遮光位置においては展開されて開口２１５を遮光する。
【００２１】
なお、本実施の形態では、後幕遮光羽根２５０は、開口２１５の背面（撮像素子２２側）を移動するものとして説明するが、開口２１５の前面（被写体側）を移動するものについても実施の形態の一態様に含まれる。また、本実施の形態では後幕遮光羽根２５０が開口２１５の全領域を遮光するものであるが、後述の先幕遮光羽根２２０と同様に、開口２１５の一部の領域を遮光するものでも良い。この場合、後幕遮光羽根２５０は、１枚の羽根により構成されても良いし、複数枚の羽根で開口２１５の全体を覆わないように構成しても良い。
【００２２】
−−−先幕−−−
図３によく示すように、先幕駆動アーム２２１はその一端に基板側連結部２２２を有する。先幕駆動アーム２２１は、基板側連結部２２２において基板２１０の背面（撮像素子２２側）に回動可能に軸支されている。先幕従動アーム２３１はその一端に基板側連結部２３２を有する。先幕従動アーム２３１は、先幕駆動アーム２２１の図示上方（Ｙ軸−側）で、基板側連結部２３２により基板２１０の背面（撮像素子２２側）に回動可能に軸支されている。先幕駆動アーム２２１は他端に遮光部側連結部２２３を有する。先幕駆動アーム２２１は、遮光部材側連結部２２３においてかしめピンによって先幕遮光羽根２２０が回動可能に連結されている。先幕従動アーム２３１は他端に遮光部側連結部２３３を有する。先幕従動アーム２３１は、遮光部材側連結部２３３においてかしめピンによって先幕遮光羽根２２０が回動可能に連結されている。先幕駆動アーム２２１と先幕従動アーム２３１とは、先幕遮光羽根２２０を移動させる公知の平行リンク機構を構成する。
【００２３】
上述したように、先幕駆動アーム２２１および先幕従動アーム２３１は、後幕駆動アーム２５１および後幕従動アーム２６１の図示下方（Ｙ軸＋側）に設けられている。具体的には、先幕駆動アーム２２１の基板側連結部２２２および先幕従動アーム２３１の基板側連結部２３２は、後幕駆動アーム２５１の基板側連結部２５２、および、後幕従動アーム２６１の基板側連結部２６２の図示下方（Ｙ軸＋側）で基板２１０に結合されている。
【００２４】
先幕遮光羽根２２０は、Ｘ軸に沿って延在する遮光部材であり、図示右側の端部が先幕駆動アーム２２１および先幕従動アーム２３１に軸支されている。本実施の形態では、先幕遮光羽根２２０は一枚の羽根により構成される。
【００２５】
先幕駆動アーム２２１には、穴２２４が設けられ、基板２１０の長穴２４０を貫通した先幕駆動ピン２８１が紙面奥側から、すなわちデジタルカメラ１の正面側から長穴２４０に挿入される。先幕駆動ピン２８１は、不図示の先幕用アクチュエータによって駆動される。先幕用アクチュエータは、制御装置２６の不図示の電力供給部からの駆動電流、すなわち電力供給を受けて駆動する。先幕用アクチュエータによって先幕駆動ピン２８１が長穴２４０に沿って駆動されると、先幕駆動アーム２２１および先幕従動アーム２３１が基板側連結部２２２および基板側連結部２３２を中心に回動される。
【００２６】
先幕駆動アーム２２１が基板側連結部２２２を中心に回転駆動されると、上述したように、先幕駆動アーム２２１と先幕従動アーム２３１と先幕社交羽根２０とによって構成される周知の平行リンク機構によって先幕遮光羽根２２０が駆動されて、基板２１０の開口２１５をＹ軸方向に移動するように構成されている。本実施の形態では、先幕遮光羽根２２０は、開口２１５外の第１退避位置２０１と、第１退避位置２０１に対向する開口２１５外の第２退避位置２０２との間を移動可能である。図２では、先幕遮光羽根２２０は、第１退避位置２０１に移動しており、図５では、先幕遮光羽根２２０は、第２退避位置２０２に移動している。
【００２７】
上述したように、先幕遮光羽根２２０は一枚の羽根により構成されている。先幕遮光羽根２２０のＹ軸−側でＸ軸に沿って延在する辺である上端エッジ２２０Ｕ（図３）は、開口２１５のＸ軸方向の幅よりも長い。また、先幕遮光羽根２２０の上端エッジ２２０Ｕと、Ｙ軸＋側でＸ軸に沿って延在する辺である下端エッジ２２０Ｂ（図３）とのＹ軸方向（先幕遮光羽根２２０や後幕遮光羽根２５０の移動方向）に沿った長さ（遮光幅）Ｌ１は、開口２１５のＹ軸方向に沿った長さＬ０と比べて短い（小さい）。したがって、先幕遮光羽根２２０は開口２１５の一部しか覆えない構造を有する。すなわち、先幕遮光羽根２２０はその移動方向における遮光範囲が、移動方向における開口２１５の長さよりも短い構造を有する。なお、先幕遮光羽根２２０の遮光領域の詳細については後述する。
【００２８】
先幕遮光羽根２２０のＹ軸方向の長さＬ１は、少なくとも撮像素子２２のうち画素リセット中の画素行に被写体光束が照射されないように決定される。先幕遮光羽根２２０の移動速度と、撮像素子２２が画素行全体について画素リセットに要する時間（通常任意に設定できる）による画素リセット速度とを一致させることにより、設計上の最小長さは画素ピッチとすることができる。しかし、実際の先幕遮光羽根２２０の移動においては、先幕遮光羽根２２０の移動速度と画素リセット速度とを完全に一致させることは困難である。また、その他の誤差要因も含むため、先幕遮光羽根２２０のＹ軸方向の長さＬ１は、以下の式（１）を満たすように決定される。
Ｌ０＞Ｌ１≧ΔＬ１１  …（１）
なお、ΔＬ１１は定数であり、先幕遮光羽根２２０の製造誤差や材料強度による移動時の変形に対する余裕や、先幕遮光羽根２２０のＹ軸方向の端部から回り込む光の影響を防ぐための余裕や、画素リセット速度と先幕遮光羽根２２０の移動速度との同期誤差に対する余裕として、実験等によって決定される。
【００２９】
なお、本実施の形態では、先幕遮光羽根２２０は、開口２１５の背面（撮像素子２２側）を移動するものとして説明するが、開口２１５の前面（被写体側）を移動するものについても実施の形態の一態様に含まれる。また、先幕遮光羽根２２０が１枚の羽根で構成されるものに限定されない。先幕遮光羽根２２０が複数の羽根で構成され、その複数の羽根による遮光領域のＹ軸方向に沿った長さが開口２１５のＹ軸方向に沿った長さＬ０と比べて短く（小さく）、開口２１５の全体を覆わないように構成されても良い。
【００３０】
−−−先幕遮光羽根の遮光領域について−−−
図６（ａ）は、先幕遮光羽根２２０が第１退避位置２０１に位置する状態を示す。図６（ｂ）は、先幕遮光羽根２２０が開口２１５を移動中の状態を示す。なお、図６（ａ）では、説明の便宜上、後幕遮光羽根２５０や後幕駆動アーム２５１、後幕従動アーム２６１の図示を省略している。また、図６（ａ）および（ｂ）においては、補助遮光羽根３００の図示を省略している。
本実施の形態では、図６（ａ）に示すように、先幕遮光羽根２２０の遮光領域のＸ軸＋側（先幕遮光羽根右端側）における遮光領域端部は、上端エッジ２２０Ｕと、弧状エッジ２２０Ａと、上端エッジ２２０Ｕおよび弧状エッジ２２０Ａを連結するサイドエッジ２２０Ｃを有する。弧状エッジ２２０Ａは、上端エッジ２２０ＵよりもＹ軸＋側にて、円弧状の長穴２７０の弧２７０ａに沿ってＸ軸−側で凹状に形成される。すなわち、弧状エッジ２２０Ａは円弧状の長穴２７０の形状に対応した形状を有する。サイドエッジ２２０Ｃは上端エッジ２２０ＵのＸ軸＋側の端点からＹ軸＋側に延伸して弧状エッジ２２０Ａと連結する。したがって、先幕遮光羽根２２０の遮光領域端部は、後幕駆動ピン２８２の移動範囲である長穴２７０を避けている。このため、先幕遮光羽根２２０のＸ軸＋側の遮光領域端部における上端エッジ２２０ＵからＹ軸＋側への長さはＬ１よりも短い。
【００３１】
図６（ｂ）に示すように、先幕遮光羽根２２０が開口２１５内を移動すると、弧状エッジ２２０Ａが開口２１５内を移動する。上述したように、先幕遮光羽根２２０のＸ軸＋側における遮光領域端部は、凹状の弧状エッジ２２０Ａが形成されることにより、Ｙ軸方向の長さがＬ１よりも短い。このため、先幕遮光羽根２２０が開口２１５を移動中の場合には、先幕遮光羽根２２０の弧状エッジ２２０Ａの下方（Ｙ軸＋側）において、開口２１５の斜線を付して示す領域Ｒが遮光されない。上述したように、先幕遮光羽根２２０の長さＬ１は画素リセットに要する時間に基づいて決定されている。このため、領域Ｒを通過した被写体光が画素リセット中の撮像素子２２に入射し、露光不良をもたらす虞がある。本実施の形態のシャッタ装置２１は、この領域Ｒを遮光するために補助遮光羽根３００を有する。
【００３２】
−−−補助遮光羽根−−−
図２〜図５を参照して、補助遮光羽根３００について説明する。補助遮光羽根３００は、先幕駆動アーム２２１の基板側連結部２２２と遮光部側連結部２２３との中間位置に補助遮光羽根連結部３０１と、先幕従動アーム２３１の基板側連結部２３２と遮光部側連結部２３３との中間位置の補助遮光羽根連結部３０２とにそれぞれ回転可能に取り付けられ、先幕遮光羽根２２０と共に平行リンク機構を構成している。
上記のように構成されているので、先幕駆動アーム２２１が基板側連結部２２２を中心に回転駆動されると、先幕従動アーム２３１と先幕遮光羽根２２０とが連動して開口２１５をＹ軸＋方向に移動する。
【００３３】
本実施の形態では、補助遮光羽根３００は、第３退避位置２０３から開口２１５をＹ軸＋方向に移動して、第４退避位置２０４に移動可能である。第３退避位置２０３は開口２１５の外部のＸ軸＋側の上方（Ｙ軸−側）の位置である。第４退避位置２０４は開口２１５の外部のＸ軸＋側の下方（Ｙ軸＋側）の位置である。なお、図２では、補助遮光羽根３００は第３退避位置２０３に位置しており、図５では、補助遮光羽根３００は第４退避位置２０４に位置している。
【００３４】
補助遮光羽根３００は、一枚の羽根により構成される。補助遮光羽根３００を構成する羽根は、Ｘ軸−側においてＹ軸方向に沿って延在する辺である第１エッジ３０３と、Ｘ軸＋側においてＹ軸方向に延在する辺である第２エッジ３０４と、Ｙ軸−側の辺である第３エッジ３０５と、Ｙ軸＋側においてＸ軸方向に沿って延在する辺である第４エッジ３０６とを有する。第１エッジ３０３と第２エッジ３０４との間のＸ軸方向に沿った長さＬ３は開口２１５のＸ軸方向の長さより短く、第３エッジ３０５と第４エッジ３０６との間のＹ軸方向に沿った長さＬ４は開口２１５のＹ軸方向に沿った長さよりも短い。すなわち、補助遮光羽根３００は開口２１５の一部の領域を遮光する。補助遮光羽根３００は、第２エッジ３０４の近傍にて先幕駆動アーム２２１と先幕従動アーム２３１とに連結する。なお、補助遮光羽根３００の第１エッジ３０３は、補助遮光羽根３００が第３退避位置２０３に位置するときには、開口２１５よりもＸ軸＋側に位置する。
【００３５】
補助遮光羽根３００の遮光領域は、補助遮光羽根３００がＹ軸＋方向に移動中に、上述した先幕遮光羽根２２０のＸ軸＋側の遮光領域端部の下方（Ｙ軸＋側）において開口２１５を遮光する。図６（ｂ）を用いて上述したように、先幕遮光羽根２２０のＸ軸＋側の遮光領域端部の下方には、開口２１５を遮光することができない領域Ｒが生じる。この領域Ｒは、上述したように、先幕遮光羽根２２０の遮光領域端部が後幕駆動ピン２８２の移動範囲を避けるように形成され、Ｙ軸方向の長さがＬ１よりも短いことに起因して生じる領域である。補助遮光羽根３００は、開口２１５上をＹ軸＋側へ移動する際に、この領域Ｒを遮光する。すなわち、補助遮光羽根３００の長さＬ３およびＬ４は、それぞれ、領域ＲのＸ軸およびＹ軸方向の長さよりも大きい。
【００３６】
−−−シャッタ装置２１の動作について−−−
このように構成されるシャッタ装置２１は、次のように動作する。ユーザによるレリーズボタンの操作前には、図２に示したように先幕遮光羽根２２０と後幕遮光羽根２５０とは第１退避位置２０１に位置し、補助遮光羽根３００は第３退避位置２０３に位置している。この状態で、撮影レンズ１１を通過した被写体光が開口２１５を介して撮像素子２２に入射する。この撮像素子２２から撮像信号が繰り返し読み出されて、撮像信号に対応する画像（プレビュー画像）が背面モニタ３０に表示される、いわゆるライブビュー表示が行われる。
【００３７】
ユーザによりレリーズボタンが操作されると、制御装置２６の不図示の電力供給部は、不図示の先幕用アクチュエータに対して先幕遮光羽根２２０を走行させるための電力の供給を開始する。電力が供給されると、先幕用アクチュエータは、先幕駆動ピン２８１を長穴２４０に沿って図示反時計方向に回動させる。先幕駆動アーム２２１が基板側連結部２２２を中心にＸＹ平面に平行な面で回転駆動される。これにより、先幕遮光羽根２２０と先幕従動アーム２３１と補助遮光羽根３００とが連動して駆動され、先幕遮光羽根２２０が第１退避位置２０１からＹ軸＋方向に移動し、補助遮光羽根３００が第３退避位置２０３から反時計方向に移動する。先幕遮光羽根２２０は、開口２１５の上端２１５Ｕから開口２１５へ進入を開始し、補助遮光羽根３００は開口２１５のＸ軸＋側のエッジから開口２１５へ進入を開始する（図３参照）。
【００３８】
先幕駆動アーム２２１がさらに回転駆動されると、先幕遮光羽根２２０と補助遮光羽根３００とは、Ｙ軸＋方向に移動し、先幕従動アーム２３１も回転する（図４参照）。このとき、先幕遮光羽根２２０の遮光領域のうちのＸ軸＋側の遮光領域端部も開口２１５を横切るように移動する。上述したように、先幕遮光羽根２２０のＸ軸＋側の遮光領域端部は、Ｙ軸方向に沿った長さがＬ１より短いので、遮光領域端部の下方（Ｙ軸＋側）には開口２１５を遮光できない領域Ｒが生じる。補助遮光羽根３００は、この領域Ｒを遮光しながらＹ軸＋方向に移動する。なお、上述したように、補助遮光羽根３００は、先幕遮光羽根２２０と共に、先幕駆動アーム２２１と先幕従動アーム２３１と平行リンク機構を構成している。したがって、補助遮光羽根３００の第１エッジ３０３をＹ軸方向に沿った姿勢を維持させて補助遮光羽根３００はＹ軸方向へ移動する。
【００３９】
先幕遮光羽根２２０の下端エッジ２２０Ｂおよび補助遮光羽根３００のＸ軸−側の端部が開口２１５内への進入を開始し、シャッタ背後の撮像素子２２の撮像面の遮光が開始される。撮像素子２２は、その遮光された領域の画素について蓄積電荷をリセットする。図３、図４に示したように、先幕遮光羽根２２０の上端エッジ２２０Ｕが、撮像素子２２の、先幕遮光羽根２２０によって遮光されていた領域を通過すると、撮像素子２２の撮像面のうち上端エッジ２２０Ｕが通過した撮像領域に含まれる画素について、露光が開始され、電荷蓄積される。
【００４０】
先幕遮光羽根２２０は、上端エッジ２２０Ｕが開口２１５の下端２１５ＢよりもＹ軸＋側まで移動して開口部２１５の下方の第２退避位置２０２まで移動する（図５参照）。補助遮光羽根３００は、先幕駆動アーム２２１の回転駆動に伴って開口２１５から離れる方向に移動することにより、第４退避位置２０４まで移動する（図５参照）。先幕遮光羽根２２０が第２退避位置２０２まで移動し、補助遮光羽根３００が第４退避位置２０４まで移動すると、撮像素子２２は、撮像面全体について、画素リセットと露光、すなわち電荷蓄積を行う。
なお、制御装置２６は、先幕遮光羽根２２０および補助遮光羽根３００のＹ軸＋方向への走行に追従させて、撮像素子２２を構成するＸ軸方向に沿った画素行ごとに画素リセットのタイミングを制御する。すなわち、制御装置２６は、先幕遮光羽根２２０および補助遮光羽根３００の走行によって被写体光束が遮光されている領域に含まれる画素行に対して画素リセットを行わせる。
【００４１】
先幕遮光羽根２２０が移動を開始してから露光時間に相当する時間が経過すると、制御装置２６の不図示の電力制御部は不図示の後幕用アクチュエータに対して後幕遮光羽根２５０を移動させるための電力を供給する。電力が供給されると、後幕用アクチュエータは、後幕駆動ピン２８２を長穴２７０に沿って図示反時計方向に回動させる。これにより、後幕駆動アーム２５１が基板側連結部２５２を中心としてＸＹ平面に平行な面で回転駆動されて、後幕従動アーム２６１と共に構成された平行リンク機構により、後幕遮光羽根２５０が開口部２１５の上方の退避位置からＹ軸＋方向に移動する。
【００４２】
このように、先幕遮光羽根２２０がＹ軸＋方向に向かって移動を開始し、露光時間に相当する時間の経過後に後幕遮光羽根２５０がＹ軸＋方向に向かって移動を開始する。したがって、リセット後の撮像素子２２には、先幕遮光羽根２２０の上端エッジ２２０Ｕ（図３）と、後幕遮光羽根２５０の最も下方の羽根の下端との間から露光時間の間だけ被写体光が入射する。この被写体光によって撮像素子２２が露光される。
【００４３】
その後、後幕遮光羽根２５０は、開口２１５の全体を覆う遮光位置まで移動する。
制御装置２６は、撮像素子２２を制御して、Ｙ軸−側端部の画素行から順次画素読み出しを開始させる。全ての画素行からの撮像信号の読み出しが終了した後、制御装置２６は不図示の電力供給部から駆動信号を出力して、不図示の電動モータの駆動力により先幕遮光羽根２２０、後幕遮光羽根２５０および補助遮光羽根３００をＹ軸−方向へ移動させる。先幕遮光羽根２２０および後幕遮光羽根２５０が開口２１５の上方の第１退避位置２０１に格納され、補助遮光羽根３００が第３退避位置２０３に格納されて、露光時におけるシャッタ装置２１の動作制御が終了する。
【００４４】
本実施の形態においては、上述したように先幕遮光羽根２２０と後幕遮光羽根２５０とは露光開始まで開口２１５の上方の第１退避位置２０１に格納される。このため、先幕遮光羽根２２０と後幕遮光羽根２５０とが開口２１５を挟んで対向する位置にそれぞれ格納される場合と比較して、露光開始に伴って先幕遮光羽根２２０をチャージ位置まで移動させる必要が無くなる。したがって、レリーズタイムラグの発生を抑制する。
【００４５】
以上で説明した実施の形態によれば、次の作用効果が得られる。
（１）本露光を行う前の撮影準備状態において、先幕遮光羽根２２０および後幕遮光羽根２５０をともに他方側に退避させるようにシャッタ装置２１を構成する。本露光の際、先幕遮光羽根２２０をＹ軸＋側に向かって移動させながら、撮像素子２２の先幕遮光羽根２２０で遮光された範囲をリセットし、先幕遮光羽根２２０とは所定の時間差で後幕遮光羽根２５０をＹ軸＋側に向かって移動させることで撮像素子２２の露光を終了させる。
【００４６】
先幕遮光羽根２２０および後幕遮光羽根２５０をともに第１の退避位置に格納させるようにシャッタ装置２１を構成すると、公知のシャッタ装置２１よりも先幕遮光羽根２２０の移動範囲が広がるため、退避中の先幕遮光羽根２２０は後幕遮光羽根２５０を駆動する後幕駆動ピン２８２と干渉する虞がある。この場合、退避中の先幕遮光羽根２２０の形状は後幕駆動ピン２８２との干渉を回避するように、先幕遮光羽根２２０の形状を後幕駆動ピン２８２の移動範囲を避ける形状に形成すると、先幕遮光羽根２２０の遮光領域端部において、Ｙ軸＋側へ移動中の先幕遮光羽根２２０によって開口２１５を遮光できなくなる虞がある。
【００４７】
そこで、本実施の形態のシャッタ装置２１は、開口２１５のＸ軸方向の長さおよびＹ軸方向の長さよりも短い遮光領域を有し、先幕遮光羽根２２０と連動してＹ軸方向に移動可能な補助遮光羽根３００を備える。補助遮光羽根３００は、Ｙ軸方向への移動時に、先幕遮光羽根２２０の遮光領域端部において開口２１５の一部を遮光する。したがって、先幕遮光羽根２２０と後幕遮光羽根２５０とを撮影開始まで第１退避位置２０１に格納できるようになり、レリーズタイムラグを短縮すると同時に、先幕遮光羽根２２０のＸ軸＋側の遮光領域端部における遮光領域の減少分を補って開口２１５を遮光できる。すなわち、画素リセット中に先幕遮光羽根２２０のＸ軸＋側の遮光領域端部からの漏光が撮像素子２２に入射することを防ぎ、露光不良の発生を防ぐことができる。
【００４８】
さらに、補助遮光羽根３００の遮光領域は、開口２１５のＸ軸方向の長さおよびＹ軸方向の長さよりも短い。すなわち、補助遮光羽根３００は、先幕遮光羽根２２０よりも小さな遮光領域を有する。このため、補助遮光羽根３００を設けることによる質量の増加を抑制し、軽量化に寄与するとともに、先幕用アクチュエータに供給する電力の著しい増加も抑制できる。
【００４９】
（２）補助遮光羽根３００は、先幕遮光羽根２２０が基板２１０の開口２１５外に格納された状態で開口２１５外に退避するとともに、先幕遮光羽根２２０のＹ軸方向への移動に伴って先幕遮光羽根のＸ軸＋側の遮光領域端部における開口２１５の一部を遮光する。したがって、撮影画像に露光不足に起因する画質低下が発生することを防ぐことができる。
【００５０】
（３）補助遮光羽根３００は、先幕駆動アーム２２１および先幕従動アーム２３１に連結され、先幕駆動アーム２２１および先幕従動アーム２３１によってＹ軸方向に移動する。したがって、補助遮光羽根３００を移動させるための専用の部材を用いる必要が無いので、部品数の増加を防ぎ、シャッタ装置２１の軽量化に寄与する。さらに、補助遮光羽根３００は、先幕駆動アーム２２１および先幕従動アーム２３１の回転駆動に伴ってＹ軸方向に移動するので、先幕遮光羽根２２０と確実に連動させてＹ軸方向に移動させて領域Ｒを遮光することができる。
【００５１】
−第２の実施の形態−
図面を参照して、本発明の第２の実施の形態について説明する。以下の説明では、第１の実施の形態と同じ構成要素には同じ符号を付して相違点を主に説明する。特に説明しない点については、第１の実施の形態と同じである。本実施の形態では、補助遮光羽根の形状と取り付けが第１の実施の形態と異なる。したがって、以下の説明は、補助遮光羽根の形状と取り付けに関する内容を主に行う。
【００５２】
図７〜１０は、撮像素子２２側、すなわち、デジタルカメラ１の背面側から見た、第２の実施の形態におけるシャッタ装置２１の内部構造を示す図である。なお、説明の都合上、図示の通りにＸ軸およびＹ軸からなる座標系を設定する。図７は、ユーザによるレリーズボタンの操作が行われ撮影開始が指示される前のシャッタ装置２１の状態を示す図である。図７においては、先幕遮光羽根２２０と後幕遮光羽根２５０とが第１退避位置２０１に退避し、補助遮光羽根３１０が第３退避位置２０３に退避した状態を示す。図８は、ユーザによるレリーズボタンの操作が行われて、撮影開始が指示された後、先幕遮光羽根２２０が開口２１５を横切るように図示下方（Ｙ軸＋側）に向かって移動を開始した後のシャッタ装置２１の状態を示す図である。ただし、図８は、後幕遮光羽根２５０が移動を開始する前の状態を示す。図９は、先幕遮光羽根２２０が図８に示す状態からさらにＹ軸−側に移動し、先幕遮光羽根２２０と連動して補助遮光羽根３１０が開口２１５を横切るようにして図示下方（Ｙ軸＋側）に向かって移動中のときのシャッタ装置２１の状態を示す図である。図１０は、先幕遮光羽根２２０および補助遮光羽根３１０が図９に示す状態からさらに図示下方（Ｙ軸＋側）に移動して、開口２１５の下方（Ｙ軸＋側）の第２退避位置２０２に退避した状態を示す図であり、後幕遮光羽根２５０が移動を開始する前の状態を示す。
【００５３】
補助遮光羽根３１０は、先幕駆動アーム２２１の遮光部側連結部２２３の近傍に固定され、先幕駆動アーム２２１の回転駆動とともに一体となって移動する。先幕駆動アーム２２１と先幕従動アーム２３１とによって構成される周知の平行リンク機構によって先幕遮光羽根２２０が駆動されると、先幕遮光羽根２２０の移動と連動して補助遮光羽根３１０が開口２１５をＹ軸＋方向に移動する。
なお、補助遮光羽根３１０が先幕駆動アーム２２１に固定されているので、本実施の形態における先幕駆動アーム２２１は補助遮光羽根連結部３０１を備えず、先幕従動アーム２３１は補助遮光羽根連結部３０２を備えていない。
【００５４】
本実施の形態では、補助遮光羽根３１０は、開口２１５のＸ軸＋側のエッジから開口２１５へ進入を開始し、開口２１５をＹ軸＋方向に移動して、第２退避位置２０２に移動可能である。なお、図７では、補助遮光羽根３１０は第３退避位置２０３に位置しており、図１０では、補助遮光羽根３１０は第２退避位置２０２に位置している。
【００５５】
補助遮光羽根３１０は、一枚の平板状の羽根により構成される。補助遮光羽根３００を構成する羽根は、第１エッジ３１１と、第２エッジ３１２と、第３エッジ３１３と、第４エッジ３１４とを有する。第１エッジ３１１は、補助遮光羽根３１０がＹ軸方向に移動中に、Ｘ軸−側においてＹ軸方向に沿って延在する辺である（図９参照）。第２エッジ３１２は、補助遮光羽根３１０がＹ軸方向に移動中に、Ｘ軸＋側においてＹ軸方向に沿って延在する辺である（図９参照）。第３エッジ３１３は、補助遮光羽根３１０がＹ軸方向に移動中に、Ｙ軸−側においてＸ軸方向に沿って延在する辺である（図９参照）。第４エッジ３１４は、補助遮光羽根３１０がＹ軸方向に移動中に、Ｙ軸＋側においてＸ軸方向に沿って延在する辺である（図９参照）。
【００５６】
第１エッジ３１１と第２エッジ３１４との間のＸ軸方向に沿った長さＬ３１は開口２１５のＸ軸方向の長さより短い（図９参照）。第３エッジ３１５と第４エッジ３１６との間のＹ軸方向に沿った長さＬ４１は、回転駆動中における先幕駆動アーム２２１と先幕従動アーム２３１との間の間隔よりも長く、開口２１５のＹ軸方向に沿った長さよりも短い（図９参照）。したがって、補助遮光羽根３１０は開口２１５の一部の領域を遮光する。  補助遮光羽根３１０の遮光領域は、補助遮光羽根３１０がＹ軸＋方向に移動中に、上述した先幕遮光羽根２２０のＸ軸＋側の遮光領域端部に生じる領域Ｒを遮光する（図９参照）。すなわち、補助遮光羽根３１０の長さＬ３１およびＬ４１は、それぞれ、領域ＲのＸ軸およびＹ軸方向の長さよりも大きい。
【００５７】
シャッタ装置２１が動作を開始すると、補助遮光羽根３１０は第３退避位置２０３から移動を開始して（図７参照）、開口２１５のＸ軸＋側のエッジから開口２１５へ進入する（図８参照）。先幕駆動アーム２２１および先幕従動アーム２３１の回転駆動に従って、先幕遮光羽根２２０と補助遮光羽根３１０とは、Ｙ軸＋方向に移動する（図９参照）。このとき、補助遮光羽根３１０はこの領域Ｒを遮光しながらＹ軸＋方向に移動する。そして、先幕遮光羽根２２０および補助遮光羽根３１０は、開口部２１５の下方の第２退避位置２０２まで移動する（図１０参照）。
【００５８】
上述した第２の実施の形態によれば、第１の実施の形態により得られる（１）〜（３）の作用効果と同様の作用効果が得られる。
さらに加えて、補助遮光羽根３１０を先幕駆動アーム２２１の遮光部側連結部２２３の近傍に固定するようにした。したがって、先幕駆動アーム２２１および先幕従動アーム２３１に対して回動可能に連結する場合に加えて、補助遮光羽根３１０の取り付けが容易になり生産性の向上に寄与する。
なお、補助遮光羽根３１０を先幕駆動アーム２２１と別部材としているが、補助遮光羽根３１０の領域を先幕駆動アーム２２１で一体的に形成しても良い。
【００５９】
−第３の実施の形態−
図面を参照して、本発明の第３の実施の形態について説明する。以下の説明では、第１の実施の形態と同じ構成要素には同じ符号を付して相違点を主に説明する。特に説明しない点については、第１の実施の形態と同じである。本実施の形態では、補助遮光羽根の形状と取り付けが第１の実施の形態と異なる。したがって、以下の説明は、補助遮光羽根の形状と取り付けに関する内容を主に行う。
【００６０】
図１１〜１４は、撮像素子２２側、すなわち、デジタルカメラ１の背面側から見た、第３の実施の形態におけるシャッタ装置２１の内部構造を示す図である。なお、説明の都合上、図示の通りにＸ軸およびＹ軸からなる座標系を設定する。図１１は、ユーザによるレリーズボタンの操作が行われ撮影開始が指示される前のシャッタ装置２１の状態を示す図である。図１１においては、先幕遮光羽根２２０と後幕遮光羽根２５０と補助遮光羽根３２０が第１退避位置２０１に退避した状態を示す。図１２は、ユーザによるレリーズボタンの操作が行われて、撮影開始が指示された後、先幕遮光羽根２２０が開口２１５を横切るように図示下方（Ｙ軸＋側）に向かって移動を開始した後のシャッタ装置２１の状態を示す図である。ただし、図１２は、後幕遮光羽根２５０が移動を開始する前の状態を示す。図１３は、先幕遮光羽根２２０が図１２に示す状態からさらにＹ軸−側に移動し、先幕遮光羽根２２０と連動して補助遮光羽根３２０が開口２１５を横切るようにして図示下方（Ｙ軸＋側）に向かって移動中のときのシャッタ装置２１の状態を示す図である。図１４は、先幕遮光羽根２２０および補助遮光羽根３１０が図１３に示す状態からさらに図示下方（Ｙ軸＋側）に移動して、開口２１５の下方（Ｙ軸＋側）の第２退避位置２０２に退避した状態を示す図であり、後幕遮光羽根２５０が移動を開始する前の状態を示す。
【００６１】
補助遮光羽根３２０は、先幕従動アーム２３１の遮光部側連結部２３３の近傍に固定され、先幕従動アーム２３１の回転駆動とともに一体となって移動する。先幕駆動アーム２２１と先幕従動アーム２３１とによって構成される周知の平行リンク機構によって先幕遮光羽根２２０が駆動されると、先幕遮光羽根２２０の移動と連動して補助遮光羽根３２０が開口２１５をＹ軸＋方向に移動する。
なお、補助遮光羽根３２０が先幕従動アーム２３１に固定されているので、本実施の形態における先幕駆動アーム２２１は補助遮光羽根連結部３０１を備えず、先幕従動アーム２３１は補助遮光羽根連結部３０２を備えていない。
【００６２】
本実施の形態では、補助遮光羽根３２０は、第１退避位置２０１から開口２１５の上端２１５Ｕから開口２１５へ進入を開始し、開口２１５をＹ軸＋方向に移動して、第２退避位置２０２に移動可能である。なお、図１１では、補助遮光羽根３２０は第１退避位置２０１に位置しており、図１４では、補助遮光羽根３２０は第２退避位置２０２に位置している。
【００６３】
補助遮光羽根３２０は、一枚の平板状の羽根により構成される。補助遮光羽根３００を構成する羽根は、第１エッジ３２１と、第２エッジ３２２と、第３エッジ３２３とを有し、遮光領域が扇形形状に形成される。第１エッジ３２１は、補助遮光羽根３２０が第１退避位置２０１に位置するときに、Ｘ軸方向に沿って延在する辺である（図１１参照）。第２エッジ３２２は、先幕従動アーム２３１が延在する方向に沿って延在する辺である（図１１〜図１４参照）。補助遮光羽根３２０は、この第２エッジ３２２の近傍にて先幕従動アーム２３１に固定される。第３エッジ３２３は、第１エッジ３２１と第２エッジ３２２とを連結する円弧状に形成される（図１１〜図１４参照）。補助遮光羽根３２０は上記のように扇形形状を有するので、第１エッジ３２１および第２エッジ３２２は実質的に長さが等しい。
【００６４】
第１エッジ３２１および第３エッジ３２３が連結する点と、第２エッジ３２２および第３エッジ３２３が連結する点との長さＬ３２は、開口２１５のＸ軸方向の長さよりも短い（図１２参照）。第１エッジ３２１と第２エッジ３２２との長さＬ４２、すなわち補助遮光羽根３２０の遮光領域を形成する扇形状の径は開口２１５の長さＬ０よりも短い（図１２参照）。したがって、補助遮光羽根３１０は開口２１５の一部の領域を遮光する。補助遮光羽根３２０の遮光領域は、補助遮光羽根３２０がＹ軸＋方向に移動中に、上述した先幕遮光羽根２２０のＸ軸＋側の遮光領域端部に生じる領域Ｒを遮光する（図１３参照）。なわち、補助遮光羽根３２０の長さＬ３２およびＬ４２は、それぞれ、領域ＲのＸ軸およびＹ軸方向の長さよりも大きい。
【００６５】
シャッタ装置２１が動作を開始すると、補助遮光羽根３２０は先幕遮光羽根２２０とともに第１退避位置２０１ら移動を開始して（図１１）、開口２１５の上端エッジ２２０Ｕから開口２１５へ進入する（図１２参照）。先幕駆動アーム２２１および先幕従動アーム２３１の回転駆動に従って、先幕遮光羽根２２０と補助遮光羽根３２０とは、Ｙ軸＋方向に移動する（図１３参照）。このとき、補助遮光羽根３２０はこの領域Ｒを遮光しながらＹ軸＋方向に移動する。そして、先幕遮光羽根２２０および補助遮光羽根３２０は、開口部２１５の下方の第２退避位置２０２まで移動する（図１４参照）。
【００６６】
上述した第３の実施の形態によれば、第１の実施の形態により得られる（１）〜（３）の作用効果と同様の作用効果が得られる。
さらに、補助遮光羽根３２０を先幕従動アーム２３１の遮光部側連結部２３３の近傍に固定するようにしたので、第２の実施の形態の場合と同様に、補助遮光羽根３２０の取り付けが容易になり生産性の向上に寄与する。
なお、補助遮光羽根３２０を先幕従動アーム２３１と別部材としているが、補助遮光羽根３２０の領域を先幕従動アーム２３１で一体的に形成しても良い。
【００６７】
−変形例−
上述した第１〜第３の実施の形態のシャッタ装置２１のように、先幕駆動アーム２２１および／または先幕従動アーム２３１と補助遮光羽根を連結または固定する構成に代えて、シャッタ装置２１は補助遮光羽根を駆動させるための専用の補助遮光羽根駆動アームを備えても良い。この場合、補助遮光羽根駆動アームは、一端に基板側連結部を有し、他端に補助遮光羽根連結部を有する。補助遮光羽根駆動アームは、基板側連結部において基板２１０の背面（撮像素子２２側）に回動可能に軸支される。補助遮光羽根駆動アームは、補助遮光羽根連結部においてかしめピンによって補助遮光羽根が回動可能に連結される。
【００６８】
補助遮光羽根駆動アームは、たとえば板状の部材である連結部を有する。補助遮光羽根駆動アームはこの連結部によって先幕駆動アーム２２１と連結する。先幕駆動アーム２２１が上述したように基板側連結部２２２を中心に回転駆動を行うと、連結部を介して連結された補助遮光羽根駆動アームも基板側連結部を中心に回転駆動を行う。その結果、補助遮光羽根は、先幕駆動アーム２２１の回転駆動に伴ってＹ軸方向に移動する先幕遮光羽根２２０と連動して、Ｙ軸方向に移動する。
【００６９】
また、補助遮光羽根駆動アームが連結部により先幕駆動アーム２２１と連結していなくても良い。この場合、補助遮光羽根駆動アームを、たとえば電動モータ等により構成される補助遮光羽根アクチュエータによって、基板側連結部を中心に回転駆動可能に構成する。制御装置２６の電力供給部は、先幕用アクチュエータに電力を供給するタイミングと補助遮光羽根アクチュエータに電力を供給するタイミングとを制御して、先幕遮光羽根２２０がＹ軸方向に移動中に、補助遮光羽根に対して領域Ｒを遮光可能にＹ軸方向に移動させる。したがって、補助遮光羽根は、先幕遮光羽根２２０の移動に連動してＹ軸方向に移動する。
【００７０】
なお、上述の説明では、先幕用アクチュエータが、電動モータ等により構成されているが、バネの付勢力によって先幕遮光羽根２２０を第２退避位置２０２に向かって走行させ、電動モータの動力によって先幕遮光羽根２２０を第１退避位置２０１へチャージするように先幕用アクチュエータが構成されていてもよい。後幕用アクチュエータについても同様である。また、先幕用アクチュエータを電動モータ等により構成し、後幕用アクチュエータをバネと電動モータとによって構成してもよい。また、先幕用アクチュエータをバネと電動モータとによって構成し、後幕用アクチュエータを電動モータ等により構成してもよい。
また  上述した実施の形態および変形例は、それぞれ組み合わせてもよい。
【００７１】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００７２】
１…デジタルカメラ、２１…シャッタ装置、２２…撮像素子、
２０１…第１退避位置、２０２…第２退避位置、２０３…第３退避位置、
２０４…第４退避位置、２１０…基板、２１５…開口、２２０…先幕遮光羽根、
２２１…先幕駆動アーム、２２２…基板側連結部、２２３…遮光部材側連結部、
２３１…先幕従動アーム、２３２…基板側連結部、２３３…遮光部材側連結部、
２４０，２７０…長穴、２５０…後幕遮光羽根、２５１…後幕駆動アーム、
２６１…後幕従動アーム、２８１…先幕駆動ピン、２８２…後幕駆動ピン、
３００，３１０，３２０…補助遮光羽根
【図１】
2016090740.tif 000003
【図２】
2016090740.tif 000004
【図３】
2016090740.tif 000005
【図４】
2016090740.tif 000006
【図５】
2016090740.tif 000007
【図６】
2016090740.tif 000008
【図７】
2016090740.tif 000009
【図８】
2016090740.tif 000010
【図９】
2016090740.tif 000011
【図１０】
2016090740.tif 000012
【図１１】
2016090740.tif 000013
【図１２】
2016090740.tif 000014
【図１３】
2016090740.tif 000015
【図１４】
2016090740.tif 000016